(57)【要約】【課題】浴室の意匠性を向上させることができ、かつ簡単確実に止水処理ができる洗い場付き浴槽を提供する。【解決手段】少なくとも浴槽１，エプロン２，洗い場パン３の主要３部品に分割された洗い場付き浴槽において、エプロン２は、止水部分Ｃより浴槽１側で、ボルト５，ナット７等の機械的固定手段により洗い場パン３に水密状に連結される。【選択図】                図３
2005027860.tif 000002
【特許請求の範囲】
【請求項１】
少なくとも浴槽，エプロン，洗い場パンの主要３部品に分割された洗い場付き浴槽において、前記エプロンは、止水部分より浴槽側でボルト，ナット等の機械的固定手段により前記洗い場パンに水密状に連結される構造であることを特徴とする洗い場付き浴槽。
【発明の詳細な説明】
【０００１】
【発明の属する技術分野】
この発明は、洗い場付き浴槽に関するものである。
【０００２】
【従来の技術及び発明が解決しようとする課題】
従来、参考文献１に開示されているように、洗い場付き浴槽を施工する際に、浴槽と洗い場を連結フレームで連結接続し、これにエプロンを着脱できるように取り付けており、従来においては、それぞれの部材の位置合わせ、及び止水処理が難しく、またコストも増大してしまうという問題点があった。
なお、従来、浴槽のみが別体で、洗い場とエプロンが一体化された２分割式の洗い場付き浴槽にあっては、エプロンの色を変えることができないため、浴室が安っぽく見えるという問題点があり、また、エプロンと洗い場が一体化されているため、寸法形状が大きくなり、輸送，搬入に困難を伴うという問題点があった。
【０００３】
【特許文献１】
特開平６−２１２８１５号公報
【０００４】
【課題を解決するための手段】
本発明は上記従来の問題点に鑑み案出したものであって、輸送，搬入を容易に行うことができ、かつ、意匠性が向上して、簡単かつ確実に止水処理のできる洗い場付き浴槽を提供せんことを目的とし、その要旨は、少なくとも浴槽，エプロン，洗い場パンの主要３部品に分割された洗い場付き浴槽において、前記エプロンは、止水部分より浴槽側でボルト，ナット等の機械的固定手段により前記洗い場パンに水密状に連結される構造であることである。
【０００５】
【発明の実施の形態】
以下、本発明の実施例を図面に基づいて説明する。
本例の洗い場付き浴槽は、浴槽とエプロンと洗い場パンの主要３部品に分割されており、図１では、エプロンと洗い場パンの分解図を示す。
また図２では、エプロンと洗い場パンを浴槽側から見た要部分解斜視図を示しており、また図３では、施工後の縦断面図を、図４では、図３の要部拡大図を示している。
【０００６】
浴槽１は、その上端に外側へ略水平に一体状に突出してフランジ部１ａが形成されており、フランジ部１ａの先端には、下向きに前垂れ部１ｂが一体形成されている。また、前垂れ部１ｂの裏側には、フランジ部１ａから垂下状にボス部１ｃが一体形成されており、このボス部１ｃと前垂れ部１ｂ間にシール材Ｃを嵌め込むことができるように構成されている。
【０００７】
また、エプロン２は、その幅方向両端に、洗い場側へ延出された両端延設部２Ｐ，２Ｐが一体形成されており、内側部には、着脱可能な蓋を設けた２個の点検口４，４が形成されている。
また、エプロン２の本体板部２ａの下端には、浴槽側へ水平に突出して水平部２ｂが一体形成され、この水平部２ｂの先端から垂直に垂直部２ｃが一体形成され、垂直部２ｃの下端には、水平状に浴槽側へ延びる固定部２ｄが一体形成されている。この固定部２ｄには、底側にリブ２ｅが垂設され、上下に貫通するボルト孔２ｆが、幅方向に所定間隔で形成されている。
また、エプロン２の本体板部２ａの上端には、浴槽側へ水平に延びる上端水平部２ｇが一体形成されており、この上端水平部２ｇから上方へ延びて立上リブ２ｈが形成されている。
【０００８】
また、洗い場パン３の洗い場３ａの浴槽側には、上方へコの字状に立ち上げて堤防部３ｂが一体形成され、この堤防部３ｂの浴槽側には、シール材Ｃを嵌め込むことのできる溝部３ｃが略水平状に形成され、この溝部３ｃの浴槽側には、僅かに立ち上げて固定部３ｄが一体形成されており、この固定部３ｄには、幅方向に間隔をおいてボルト孔３ｅが上下に貫通形成されている。
【０００９】
なお、溝部３ｃに嵌め込まれるシール材Ｃは、洗い場パン３の幅方向全域に亘り敷設されるものであり、シール材Ｃの幅方向両端側は、洗い場パン３の外周の立上部３ｆに沿って立ち上げられている。このシール材Ｃは、ブチルまたは発泡シール材等で構成されたものである。
このように３分割された浴槽１，エプロン２，洗い場パン３を、例えば施工現場において施工するに際し、浴槽１を施工する前に、洗い場パン３にエプロン２を接続して一体化させる。
【００１０】
図３および図４に示すように、洗い場パン３の堤防部３ｂ上に、エプロン２の水平部２ｂを載せ、垂直部２ｃを堤防部３ｂの浴槽側に当接させ、エプロン２の固定部２ｄを洗い場パンの固定部３ｄ上に載せて整合させる。この状態では、洗い場パン３の溝部３ｃ内に予め敷設されているシール材Ｃに、エプロンの固定部２ｄの底側に垂設されているリブ２ｅが押圧されて、シール材Ｃが溝部３ｃに固定状態となる。
【００１１】
上方側からボルト５を、ワッシャー６を介在させてボルト孔２ｆ，３ｅ内に通して下方へ突出させ、下方側からボルト５に対しナット７を締め付けて、エプロン２を洗い場パン３に確実に固定することができるものとなる。
この場合、このシール材Ｃによる止水部分よりも浴槽側で、ボルト５，ナット７により洗い場パン３とエプロン２が連結されるため、確実な止水処理が行えるものとなる。
なお、さらに、堤防部３ｂとエプロンの水平部２ｂ間にパックアップ材１０を敷設しておき、洗い場３ａ側から、堤防部３ｂとエプロンの本体板部２ａの下端間にシリコン１１を充填して、より確実な止水性を確保することができるものとなる。
【００１２】
このように洗い場パン３にエプロン２を固定した後に、エプロン２の上端部に対し、浴槽１のフランジ部１ａを連結して浴槽１を施工するのである。
この場合も、浴槽１の前垂れ部１ｂとボス部１ｃ間にシール材Ｃを予め嵌め込んでおき、このシール材Ｃをエプロン２の立上リブ２ｈで押圧して、良好にシール材Ｃを固定させ、ボス部１ｃからエプロン２の上端水平部２ｇを貫通させてボルト８を垂下させ、このボルト８に対し下方側より蝶ナット９を締め付けて固定することができるものである。なお、蝶ナット９の締付作業は、エプロンに開口された点検口４に洗い場３ａ側から手を入れて、良好に蝶ナット９を締め付けることができるものである。
【００１３】
本例では、エプロン２は分割されているため、色の異なるエプロン２を選択して施工することで、浴室の意匠性を向上させることができるものとなり、エプロン２は、浴槽１を施工する前に、シール材Ｃによる止水部分よりも浴槽側でボルト，ナット等の機械的固定手段により、洗い場パン３に水密状に連結される構造であるため、エプロンをがっちりと洗い場パン３に固定することができ、しかも簡単かつ確実に止水処理ができるものとなる。
【００１４】
【発明の効果】
本発明は、少なくとも浴槽，エプロン，洗い場パンの主要３部品に分割された洗い場付き浴槽において、エプロンは、止水部分より浴槽側でボルト，ナット等の機械的固定手段により洗い場パンに水密状に連結される構造であり、ボルト，ナット等の機械的固定手段によりエプロンをがっちりと洗い場パンに固定することができ、しかも簡単かつ確実に止水処理することができるものとなる。
また、色の異なるエプロン２を選択して施工することで、浴室の意匠性を向上させることができるものとなる。
【図面の簡単な説明】
【図１】エプロンと洗い場パンの分解斜視構成図である。
【図２】エプロンと洗い場パンの要部を浴槽側から見た分解斜視図である。
【図３】洗い場パンに対しエプロンと浴槽を施工した状態の縦断面構成図である。
【図４】図３の要部拡大図である。
【符号の説明】
１  浴槽
１ａ  フランジ部
１ｂ  前垂れ部
１ｃ  ボス部
２  エプロン
２Ｐ  両端延設部
２ａ  本体板部
２ｂ  水平部
２ｃ  垂直部
２ｄ  固定部
２ｅ  リブ
２ｆ  ボルト孔
３  洗い場パン
３ａ  洗い場
３ｂ  堤防部
３ｃ  溝部
３ｄ  固定部
３ｅ  ボルト孔
４  点検口
５  ボルト
７  ナット
８  ボルト
９  蝶ナット
１０  バックアップ材
１１  シリコン
Ｃ  シール材
【図１】
2005027860.tif 000003
【図２】
2005027860.tif 000004
【図３】
2005027860.tif 000005
【図４】
2005027860.tif 000006